(57)【要約】  デコーダに関係付けられているテレビジョン・セット、および、表示画面を有しており通信回線を介して利用可能な少なくとも１つの周辺装置、および前記周辺装置と前記テレビジョン・セットまたは前記デコーダとの間の、制御手段とデジタル対話手段とを、備えるテレビジョン・システムであって、前記周辺装置は、前記テレビジョン・セットまたは前記デコーダの前記少なくとも１つの機能の遠隔制御の手段と、前記テレビジョン・セットに由来する少なくとも１つのコンテンツを表示する手段を有し、前記周辺装置の前記制御手段に関係付けられている機能は、状況的なタイプであり、前記テレビジョン・セットまたは前記デコーダに由来する情報によって決定されることを特徴とするテレビジョン・システム。【選択図】図１
2015534302.tif 000002
【特許請求の範囲】
【請求項１】
デコーダに関係付けられているテレビジョン・セットと、表示画面を有しており通信回線を介して利用可能な少なくとも１つの周辺装置と、前記周辺装置と前記テレビジョン・セットまたは前記デコーダとの間の、制御手段およびデジタル対話手段とを、備えるテレビジョン・システムであって、
前記周辺装置は前記テレビジョン・セットまたは前記デコーダの前記少なくとも１つの機能の遠隔制御の手段と、前記テレビジョン・セットに由来する少なくとも１つのコンテンツを表示する手段とを有し、
前記周辺装置の前記制御手段に関係付けられている機能は状況的なタイプであり、前記テレビジョン・セットまたは前記デコーダに由来する情報によって決定されることを特徴とするテレビジョン・システム。
【請求項２】
前記周辺装置は、さらに前記テレビジョン・セットまたは前記デコーダのアクティブ・コンテンツに同期して表示するための領域を備えることを特徴とする請求項１に記載のテレビジョン・システム。
【請求項３】
前記テレビジョン・セットは、前記テレビジョン・セットの状況に応じて前記周辺装置の作動を変化させるために、環境設定データの少なくとも１つのライブラリを保存するためのメモリと、前記環境設定データを前記周辺装置に送信するための手段を備えることを特徴とする請求項１または２に記載のテレビジョン・システム。
【請求項４】
前記環境設定データは、前記周辺装置のグラフィック・ユーザインターフェースを構成することができることを特徴とする請求項３に記載のテレビジョン・システム。
【請求項５】
前記環境設定データは、前記周辺装置の前記制御手段に関係付けられている機能を構成することができることを特徴とする請求項３に記載のテレビジョン・システム。
【請求項６】
複数のユーザプロファイルを保存するためのメモリを備え、
前記環境設定データは、アクティブ・ユーザプロファイルに関係付けられているパラメータによってパーソナライズされることを特徴とする請求項３に記載のテレビジョン・システム。
【請求項７】
前記周辺装置は、外部供給源からのメディア・コンテンツの処理および表示のための手段を備え、前記手段はテレビジョン・セットまたはデコーダに由来する情報に応じて構成されていることを特徴とする請求項１から６のいずれか一項に記載のテレビジョン・システム。
【請求項８】
前記テレビジョン・セットから前記周辺装置への情報通信プロトコルは、周辺装置へのメッセージをプッシュ配信する手段を有することを特徴とする請求項１から７のいずれか一項に記載のテレビジョン・システム。
【請求項９】
ユーザ、すなわち周辺装置と、テレビジョン・セットとの間の物理的な近接要求をマッチングさせるためのステップを作動させるための手段を備えることを特徴とする請求項１から８のいずれか一項に記載のテレビジョン・システム。
【請求項１０】
前記周辺装置から前記テレビジョン・セットへ情報を交換するための手段を備え、前記テレビジョン・セットは、接続された１または複数の周辺装置へ情報をプッシュ配信できるように構成されたプロトコル、すなわち、ＴＣＰ／ＩＰトランスポート層および、ＷｉＦｉまたは携帯電話網（mobile cellular network）タイプの物理チャネルを備えること
を特徴とする請求項１から９のいずれか一項に記載のテレビジョン・システム。
【請求項１１】
前記テレビジョン・セットと前記周辺装置との間にメタデータを同期させるための手段を備えることを特徴とする請求項１から１０のいずれか一項に記載のテレビジョン・システム。
【発明の詳細な説明】
【技術分野】
【０００１】
本発明は、通常、テレビジョン・セット、デコーダ、およびリモートコントロールを構成しているテレビジョン・システムの分野に関する。デコーダは、テレビジョン・セットに接続された独立した装置を構成することができ、またはテレビジョン・セットに直接的に組み込まれることができる。本発明はより詳細にはテレビジョン・セットと周辺装置との間の対話を改善することに関する。
【背景技術】
【０００２】
特許出願の国際公開公報第２０００／００４７０９号は、リモートアクセスを用いた対話型の（interactive）テレビジョン番組ガイドを記載している先行技術として知られて
いる。対話型のテレビジョン番組ガイドは、対話型のテレビジョン番組ガイド装置に実装されている。リモート番組ガイドアクセス装置は、番組ガイド機能へのリモートアクセスをユーザへ提供するためにリンクしているリモートアクセスによって、対話型のテレビジョン番組ガイド装置に接続されている。
【０００３】
国際特許出願の国際公開公報第２０００／０５９２１２号もまた、新規な万能リモートコントロール・システムとして知られている。つまり、先行技術のリモートコントロール・システムは、以下の特徴を有する。リモートコントロールと少なくとも１つの音声／画像装置との間の双方向通信、二回線モード、自動通信モード選択、リモートコントロール内の電子的な番組ガイドのローディングおよび処理、リモートコントロールによるテレビジョン・セット機能の拡張、リモートコントロール内のソフトウエア・グラフィカル・ユーザインターフェース、リモートコントロールと音声／画像装置との間のハンドシェイクの較正、リモートコントロールの受動更新、リモートコントロール内の失われた無線標識（beacon）信号、リモートコントロール内の手書き文字認識メカニズムおよび音声認識メカニズム。
【０００４】
国際特許出願の国際公開公報第９８／４３１５８号もまた、以下を有するリモートコントロールを記載しているとして知られている。表示装置と、データを、例えば表示された、記憶された、または処理された、広告などの選択情報の形式でホストデバイスから受信するための第１ワイヤレス回路と、情報を送信するための第２ワイヤレス回路と、リモートコントロールの制御作動のための制御回路およびソフトウエアと、を有する。そのようなソフトウエアは、第１ワイヤレス回路によって受信された選択情報の表示を回復するための表示欠陥ルーチンも含んでいる。
【０００５】
欧州特許公報２１４８３０８号および米国特許出願公開第２００６／０２８８３０号もまた、プログラマブル・リモートコントロールを記載している先行技術として知られている。先行技術のこれらの解決策は、外部装置によって環境設定されることができるリモートコントロールに関しており、例えばコンピュータのように、テレビジョン・セットまたはデコーダからは分離されている。これは、リモートコントロールとテレビジョン・セット（または関連したデコーダ）との間の状況の対話性（contextual interactivity）を妨害している。
【０００６】
先行技術文献によれば、リモートコントロールは、リモートコントロールとコンピュータとの間のリンクを介して環境設定されている。
【０００７】
環境設定が完成したとき、リモートコントロールとコンピュータとの間の接続は終結し
ており、リモートコントロールは、テレビジョン・セット（またはデコーダ）に接続されており、すなわちこれ（テレビジョン・セット（またはデコーダ））はリモートコントロールの「スレイブ（slave）」である。テレビジョン・セットは、文献Ｄ１およびＤ２に
記載された状況においては、リモートコントロールへ情報を提供するいかなる手段をも有さない。
【発明の概要】
【発明が解決しようとする課題】
【０００８】
先行技術の解決策は、それらの利用が関係している範囲に限定されている。テレビジョン・セットはリモートコントロールの「スレイブ」であり、それは、テレビジョン・セットのみの機能のいくつかを駆動する予め定められたコマンドを送信するように意図されている。先行技術のいくつかの解決策においてテレビジョン・セットによってリモートコントロールに送信される情報は、受動的なもののみである。
【課題を解決するための手段】
【０００９】
そのような欠点を是正してデジタル状況（digital context）におけるテレビジョン・
セットの進化に最も適した新しい解決策を提供するために、本発明は、その最も広い意味において、デコーダに関係付けられているテレビジョン・セット、および表示画面を有しており通信回線を介して利用可能な少なくとも１つの周辺装置、および前記周辺装置と前記テレビジョン・セットまたは前記デコーダとの間の制御手段およびデジタル対話手段を備えるテレビジョン・システムであって、前記周辺装置は、前記テレビジョン・セットまたは前記デコーダの前記少なくとも１つの機能の遠隔制御の手段と、前記テレビジョン・セットに由来する少なくとも１つのコンテンツを表示する手段とを有し、前記周辺装置の前記制御手段に関係付けられている機能は、状況的なタイプ（contextual type）であり
、前記テレビジョン・セットまたは前記デコーダに由来する情報によって決定されることを特徴としている。
【００１０】
本発明において、テレビジョン・セットとリモートコントロールとの間のやりとりは、各周辺装置が、ある状況においてはマスターであり他の状況においてはスレイブであるように動的である。
【００１１】
テレビジョン・セットおよびリモートコントロールの２つのデバイスは、各自が他のデバイスのいくつかの機能を動的に駆動するための能力を有して、双方向的に通信する。
【００１２】
本発明によれば、テレビジョン・セットは、その状態をリモートコントロールにリアルタイムで送信し、リモートコントロールは、テレビジョン・セットによって指示された状態に応じてその制御モードを動的に修正する。双方向的に通信するこれら２つのデバイス、即ちテレビジョン・セットとリモートコントロールは、各自が他のデバイスのいくつかの機能を動的に駆動するための能力を有している。
【００１３】
好ましくは、前記周辺装置は、さらに前記テレビジョン・セットまたは前記デコーダのアクティブ・コンテンツに同期して表示するための領域を備える。
【００１４】
前記テレビジョン・セットは好ましくは、テレビジョン・セットの状況に応じて前記周辺装置の作動を変化させるために、環境設定データ（configuration data）の少なくとも１つのライブラリを保存するためのメモリと、前記環境設定データを周辺装置に送信するための手段を備える。
【００１５】
第１の代替解決策においては、前記環境設定データは、前記周辺装置のグラフィック・ユーザインターフェースを構成することができる。
【００１６】
第２の代替解決策においては、前記環境設定データは、前記周辺装置の前記制御手段に関係付けられている機能を構成することができる。
【００１７】
個別の実装においては、システムは、複数のユーザプロファイルを保存するためのメモリを備え、前記環境設定データは、アクティブ・ユーザプロファイルに関係付けられているパラメータによってパーソナライズされる。
【００１８】
好ましくは、前記周辺装置は、外部供給源からのメディア・コンテンツの処理および表示のための手段を備え、前記手段はテレビジョン・セットまたはデコーダに由来する情報に応じて構成されている。
【００１９】
好ましい代替案によれば、システムは、ユーザ、すなわち周辺装置と、テレビジョン・セットとの間の物理的な近接要求をマッチングさせるためのステップを作動させるための手段を備える。
【００２０】
本発明によるシステムは、好ましくは、周辺装置からテレビジョン・セットへ情報を交換するための手段を備え、テレビジョン・セットは、接続された１または複数の周辺装置へ情報をプッシュ配信できるように構成されたプロトコル、すなわち、ＴＣＰ／ＩＰトランスポート層および、ＷｉＦｉまたは携帯電話網（mobile cellular network）タイプの
物理チャネルを備える。
【００２１】
好ましくは、本発明によるテレビジョン・システムは、テレビジョン・セットと周辺装置との間にメタデータを同期させるための手段を備える。
【００２２】
本発明は、添付図面によって表された例示的な実施形態に関する引き続く説明を読むことによってよりよく理解されるであろう。
【図面の簡単な説明】
【００２３】
【図１】周辺装置によって実行されるアプリケーションのソフトウエア・アーキテクチュアの概略図である。
【図２】周辺装置の画面の例示的な図である。
【図３】２つの連続した状態における、周辺装置の画面の例示的な図である。
【図４】同期メカニズムの状態図である。
【図５】テレビジョン・セットのアーキテクチュアの概略図である。
【発明を実施するための形態】
【００２４】
本発明によるシステムは、デコーダおよび１または２以上の遠隔制御型周辺装置に関連したテレビジョン・セットを実現している。
【００２５】
本明細書の引き続く部分においては、それ以上の指示がない用語「テレビジョン・セット」は、テレビジョン・セットも関連したデコーダも言及する。後者（デコーダ）は、オプション的にはテレビジョン・セットに組み込まれているか、または付属設備としてテレビジョン・セットに接続されている。
【００２６】
遠隔制御型周辺装置は、専用装置、または専用のソフトウエアがダウンロードされている携帯電話もしくはタブレットのような装置から構成されてもよい。
【００２７】
周辺装置は、デコーダまたはテレビジョン・セットがインターネットと対話する手段を備えているとき、テレビジョン・セットおよび／またはデコーダの、チャンネルの切り替
え、ビデオ・オン・デマンドへのオーダ、オンライン・オーダおよびソーシャルネットワークのような機能を制御することを可能にし、または、より一般的には、テレビジョン・セットとデコーダの利用できる全ての機能を制御することを可能にする。
【００２８】
周辺装置とテレビジョン・セットとの間のプロトコルおよび通信手段
テレビジョン・セットから周辺装置への情報の交換は、ビデオストリームの伝送を可能にするトランスポート層および物理チャネルを用いて、ｈｔｔｐプロトコルによって提供される。好ましくは、トランスポート層はＴＣＰ／ＩＰタイプであり、物理チャネルはＷｉＦｉまたは携帯電話網タイプであるが、この例に限定されない。
【００２９】
周辺装置からテレビジョン・セットへの情報の交換は、例えばＴＣＰ／ＩＰトランスポート層および、ＷｉＦｉもしくは携帯電話網タイプの物理チャネルを用いる専有の（そしてｈｔｔｐではない）プロトコルのような、異なる手段によって提供されてもよい。
【００３０】
専有のプロトコルは、「プッシュ」タイプのアクションを行うことを可能にする要求に限られているということにおいて、ｈｔｔｐプロトコルとは異なる。
【００３１】
周辺装置からテレビジョン・セットへの情報の交換のためのプロトコルによって、テレビジョン・セットは、接続された１または複数の周辺装置へ情報をプッシュ配信することができる機能を有する。
【００３２】
この目的のために専有プロトコルは周辺装置とテレビジョン・セットとの間で、ＴＣＰ／ＩＰ通信チャネル（「ソケット」）を開けるための手段を備える。
【００３３】
このソケットが作られており、テレビジョン・セットが周辺装置へイベントを送信しなければならないとき、そのプロトコルは、周辺装置へ予め定められた言語に属する文字列の形態におけるイベントの指示を含むシーケンスを送信することを可能にする。
【００３４】
例えば、テレビジョン・セットによって送信されたメッセージは、「メッセージ開始の分離記号＿チャンネル切り替え＿チャンネル番号＿メッセージ終了の分離記号」のタイプである。
【００３５】
そのようなイベントは、テレビジョン・セットの状態を周辺装置へリアルタイムで通知することを可能にする
【００３６】
図１は、周辺装置のアーキテクチュアの概略図を示す。
【００３７】
ＲＥＳＴ（表示状態転送）タイプのプログラミング・インターフェース（ＡＰＩ）は、次の４つのアクションに対応するサブ言語を定義することができる。
−  問い合わせ（inquiring）、
−  編集（editing）、
−  追加（adding）、
−  削除（deleting）。
【００３８】
これらのアクションは、ｈｔｔｐプロトコルの、例えば以下のような標準機能に関連している。
−  ゲット（get）、
−  ポスト（post）、
−  プット（put）、
−  デリート（delete）。
【００３９】
これらの言語コマンドは、ＵＲＬによって表されるコンテンツ上で動作するように用いられる。例えば、電子番組ガイド（ＥＰＧ）は、ｈｔｔｐプロトコルの「ゲット」コマンドに関連した「問い合わせ」コマンドを所定の時間内に送信することにより問い合わせ、その所定の時間内にパラメータとしての対応チャンネルに適切な場所である前記番組ガイドに対応するＵＲＬが続く。
【００４０】
このコマンドは、例えば、次のタイプである。
"Get/epg?channel=n&date=hhddmmyy".
【００４１】
照合
周辺装置とテレビジョン・セットとの間の通信を可能にするために、本発明は、ユーザすなわち周辺装置とテレビジョン・セットとの間の物理的な近接を要求する照合ステップを提供する。このステップは、少なくとも最初の電源立ち上げ時に、またはシステムのリセットごとに実行される。
【００４２】
この照合ステップは、通常のリモートコントロールから、またはそれらの直接コマンドから、テレビジョン・セットによって開始される。最初のアクションは、テレビジョン・セットに対するモニターモードの制御から構成され、ここで後者（モニターモードの制御）は外部の周辺装置からの情報を受信することから受動的であり、表示画面上に以下の照合情報を表示する。
−  ＩＰアドレス、
−  例えば、一連の１６進文字によって表されたトークン。
【００４３】
そのような情報は、また、例えばＱＲコード（登録商標）のようなグラッフィックコード、または音声トークンにグループ化されてもよい。
【００４４】
この情報は、数秒の限られた生存時間を有する。
【００４５】
そのような情報は、その後、ユーザによって、人手で、またはグラッフィックコードの場合には周辺装置に組み込まれているカメラからの取得により、または音声トークンのためのマイクロホンを用いることにより、周辺装置へ入力される。
【００４６】
そのような照合情報が周辺装置に入力されたときに、後者（周辺装置）は周辺装置とテレビジョン・セットとの間に提供されている通信チャネルを用いて、前記情報を含んでいる要求をテレビジョン・セットへ送る。
【００４７】
このステップによって、テレビジョン・セットの近くに周辺装置が物理的に存在することをチェックすることができる。照合情報の報告から入力された情報の周辺装置による送信までの経過時間がしきい値を超えれば、または情報の２つのアイテムが異なれば、テレビジョン・セットはエラー情報を表示し、その照合を承認しない。
【００４８】
もし、情報の双方のアイテムが適合しており、前記トークンの生存時間内に処理されれば、照合手順は第２のトークンの暗号化された送出ステップを続ける。ここで第２のトークンは、照合キーでもよく、周辺装置の識別子の保存によるものでもよく、データベースへの照合情報でもよい。
【００４９】
周辺装置は第２のトークンをローカルメモリに保存し、照合作業がその後行われる。
【００５０】
さらに、新しいシステムを初期化したとき、システムは初期設定されたユーザ識別子を
有する。少なくとも１つのユーザの個人的な識別子と、おそらくはそれらに関連したプロファイルがテレビジョン・セットのデータベースにいつでも保存されてもよい。
【００５１】
それ以降周辺装置とテレビジョン・セットとの間に交換されるいかなる要求も前記第２のトークンによって署名される。
【００５２】
ユーザ識別
照合された周辺装置の各ユーザは、「ログイン」タイプの手続きを介して個人的に識別される。
【００５３】
周辺装置は前述のデータベースに保存されているプロファイルのリストを読みだすための要求を作り、周辺装置および／またはテレビジョン・セットの画面に、保存されたプロファイルのリストまたはユーザのリストを表示する。ユーザはその後、前記要素の一つを選択するか、または、新しいものを作ることを決定する。
【００５４】
このステップは、選択されたユーザに関係付けられている以下のプロファイルによって利用のパーソナライゼーションを導く。
−  活性化することができるチャンネル、
−  パレンタルコントロール（parental control）、
−  ユーザの識別子に基づいたアクティブ・ソーシャルネットワークおよびそのソーシャルネットワークのパラメータ、
−  コンテンツへの支払オーダ、またはインターネットへのアクセスのような機能へのアクセス、
−  パーソナライズされた設定（好み、好みのチャンネル、言語、タイプ．．．）、
−  推奨プロファイルのコンテンツ。
【００５５】
周辺装置のアーキテクチュアおよび動作
図１は、周辺装置のアーキテクチュアの概略図を示す。
【００５６】
周辺装置は、コンピュータ１、および例えばタッチスクリーンのような画面３への表示機能および制御機能を駆動する手段を保存するためのメモリ２を備える。
【００５７】
合致したテレビジョン・セットが認識されなければ、表示画面３は合致しているインターフェースを示す。
【００５８】
合致したテレビジョン・セットが認識されてユーザが識別されたとき、周辺装置は、（彼／彼女のプロファイルに従って）選択されたユーザのために、アイコンの形式でテレビジョン・セットを制御することができる機能を表示する。
【００５９】
選択された機能のそれぞれに対して、ユーザのプロファイルに従ってコンテンツのリストが表示される。
【００６０】
そのようなコンテンツのそれぞれに以下のアクションのリストが提供される。
−  時計
−  購入
−  保存
−  テレビジョン・セットへの送信
−  ・・・。
【００６１】
これらのアクションは、メディアのタイプ、ユーザのプロファイルおよびテレビジョン
・セットと周辺装置との間の接続性のモードにリンクしている。
【００６２】
加えてグラフィック・インターフェースは、予約された表示領域において、テレビジョン・セットのアクティブな状態の表示を恒久的に表示する。これは例えば、見られるストリームのビデオ表示として、または、前記ストリームの一部、または、メタデータそれ自体（チャンネル、または、番組ロゴ、番組タイトル、．．．）の一部として、である。
【００６３】
そのような情報は、ＡＰＩ要求を介して、テレビジョン・セットによって周辺装置へ送信される。
【００６４】
この目的のために、テレビジョン・セットは、接続されている全ての周辺装置にその（テレビジョン・セットの）状態の変化（例えば、チャンネル切り替え、番組切り替え、アプリケーションの開始または終了，．．．）に関係しているメッセージをプッシュ配信されるメッセージとして送信する。
【００６５】
周辺装置の技術的アーキテクチュア
周辺装置は、ＷｉＦｉおよび／またはマルチメディア・ストリームを伝送するためのセルタイプの接続手段と、例えばタッチスクリーンのような画面および制御手段を備えている、携帯電話やタブレットのような移動式装置である。
【００６６】
固有のソフトウエアが例えばアプリケーション・プラットフォームからダウンロードされてこの周辺装置にインストールされている。またはそれ（固有のソフトウエア）が専用の周辺装置に予めインストールされている。
【００６７】
そのようなソフトウエアは、周辺装置のコンピュータ上で実行され、物理的な（画面、キーボード、．．．）またはデジタルの（通信バス、メモリ、．．．）入力／出力手段との対話を制御する。
【００６８】
図１は、周辺装置によって実行されるアプリケーションのソフトウエア・アーキテクチュアの概略図を示す。このアプリケーションは、以下を制御する。
−  情報の表示のための周辺装置のユーザインターフェース１０、
−  周辺装置のメモリに情報をローカル・ストレージするためのデータベース１１、
−  ユーザの入力に基づいて、グラフ表示機能の関連付け、およびデータおよびマルチメディア・ストリームへのアクセスを決定するコントローラ１２、
−  テレビジョン・セットとの対話、および周辺装置とテレビジョン・セットとの間のデータの交換を制御しているリクエスタ１３。
【００６９】
ユーザインターフェース１０はリモートコントロール・アプリケーションの起動により、周辺装置上で開始される。オペレーティングシステム（Ａｎｄｒｏｉｄ、ＩＯＳ、Ｗｉｎｄｏｗｓ（登録商標）、．．．）に応じて、そのような機能は技術水準として知られた方法により実装される。
【００７０】
それは、以下の異なる領域の例示的な図として図２に示す画面の表示を制御する。
−  各アイコンが主要なアクティブな機能に関係付けられている、スクロール機能としてのグラフィック・アイコンを表示している第１領域１４、
−  ビデオ・オン・デマンド・コンテンツのカタログに関係付けられている「ビデオ・オン・デマンドＶＯＤ」アイコン１５、
−  番組ガイドに関係付けられている「ＴＶ生放送（live TV）」アイコン１６、
−  再生されたチャンネル・コンテンツのカタログに関係付けられている「キャッチアップ（catchup）」アイコン１７、
−  ．．．、
−  選択されたアイコンに応じて動的に変化するコンテンツである第２コンテンツの表示領域２０であって、利用できるコンテンツを、画像またはビデオシーケンスとして、またはテキストもしくはグラフィカルなメタデータとして表示するための表示領域２０。
【００７１】
そのようなコンテンツのそれぞれは、接触による選択によって起動されることができる。それは、より大きな大きさを有する画像、映像または文字として選択されたコンテンツの詳細な表示を引き起こす。オプション的にはコメントも、選択されたコンテンツに関係付けられている機能の状況的なリスト（contextual list）（例えば、「テレビジョン・
セットを放映する」、「保存」、「共有」、「周辺装置を動作させる」、．．．）の表示も引き起こす。もし、適用できれば、いくつかのアイコンを起動することによって、例えば、テレビジョン・セット上のあるコンテンツを選択すること、およびテレビジョン・セット上でのそれらの巻き戻しを制御することのような、周辺装置とテレビジョン・セットとの間のやり取りを命令する。オプション的に、いくつかの機能は、文字入力領域、または選択された機能（例えば、いくつかのコメントされたコンテンツを共有するｅメールまたはソーシャルネットワークアドレスに入ること）に固有のコマンドと対話するために、画面が開始されると起動されてもよい。
【００７２】
この第２領域２０は、選別（filtering）および／または分類（sorting）メカニズムを有しており、それらは表示のシーケンスおよび性質を制御するタッチボタン２１によって起動されてもよい。
−  テレビジョン・セットと周辺装置との間の情報および機能の双方向交換を示すための第３表示領域３０、
−  通信の第１のカテゴリーは、「テレビジョン・セットから周辺装置へ」の方向に言及する。
それは、この第３領域３０においては、テレビジョン・セットを直接的に制御するために、および、より具体的には表示されているコンテンツを交換するために、広い領域３１に渡って追加情報および状況的な機能（contextual functions）をスクロールする可能性を有して、テレビジョン・セットに表示されているコンテンツに相当する、映像、文字および／または画像の情報の表示に関連する。テレビジョン・セットに示されるストリームの性質に関連しているアイコンおよび状況的な機能はこの領域３１に表示される。ストリームが「ビデオ・オン・デマンド」または、「放送チャンネル」または「アプリケーション」タイプのとき、それらは異なるであろう。この領域は、またＨＢＢタイプのテレビジョン・チャンネルの対話式ルーチン、または対話式の広告にリンクしている個別の信号が表示可能である。この場合、テレビジョン・セットに受信された情報は、周辺装置に直接的に対話機能を実行させることが可能になるように、表示領域３０を強調しながら（ハイライトしながら、点滅しながら）表示される。
【００７３】
リモートコントロールは、アクティブな表示領域を状態バー３０として有する。このような領域３０は、まず、テレビジョン・セットによってリモートコントロールに送信された通知に対応するグラフィック情報を表示する。この通知は、テレビジョン・セットに表示されたコンテンツが対話式標識（interaction marker）（Ｈｂｂｔｖタイプの）を有しているときは、テレビジョン・セットによって送出される。この標識は例えば以下である。
−  投票呼び出しサービスに関連するＵＲＬ、
−  対話式広告サービスに関連するＵＲＬ、
−  スポーツ賭けサービスに関連するＵＲＬ、
−  ．．．。
【００７４】
リモートコントロールのユーザは、表示領域３０に示されたサービスを実行することを
決定してもよい。この場合、サービスは、リモートコントロールにダウンロードされたアプリケーション内で、または（例えば、標識に関係付けられているＵＲＬに対応するサイトを開いてウエブブラウザを立ち上げている）リモートコントロールに存在しているアプリケーション内で、サードパーティのサービスとしてリモートコントロール上で実行される。
【００７５】
その上、ユーザは領域３０で例えば「プル」または「オープン」タイプのアクションによって、いつでも、およびいかなる個別の通知もなく、テレビジョン・セットによる状況的な情報（contextual information）の送信を制御することができる。このアクションは、コンテンツ（アクティブ・コンテンツ領域（３２））、およびテレビジョン画面（表示領域３３）に表示されるコンテンツに適用可能なアクション、をユーザが見ることができる大きな領域（３１）の表示を引き起こす。
【００７６】
このような状況的な情報（contextual information）は、定期的に更新される。コンテンツは、テレビジョン・セットに表示されているコンテンツによって決定される。これらは、グラフでも、映像でも、文字でもよい。これらは、テレビジョン・セットの状況（context）が変化するごとに更新される。
【００７７】
これらのアクションは、テレビジョン画面に表示されているコンテンツにリンクしている。すなわち、テレビジョン・セットとテレビジョン・セットを制御している１または２以上のリモートコントロールとの間の情報の定期的な交換によりテレビジョン・セットの状態の情報を受信することによって、それらは、制御されているテレビジョン・セットの状態を恒久的に反映している。
【００７８】
同一のテレビジョン・セット上に同時に表示された数個のコンテキスト（contexts）（例えば、ビデオストリームおよびアプリケーション）は、各コンテキストを独立的に保有している単一のリモートコントロールによって制御されることができる。ユーザは、１つのコンテキストから別なものに切り替えることができる。
【００７９】
特に数個のコンテンツがテレビジョン・セットに示されているときには（例えば、直接的なストリームに加えて１つのアプリケーション）、拡張された表示領域３１において数個のコンテンツを表示することができる。
−  第２のカテゴリーは、「周辺装置からテレビジョン・セットへの」方向に関連する。
周辺装置の画面に表示された異なるコンテンツに応じて「ドラッグおよびドロップ」タイプのジェスチャーによって、テレビジョン・セットに表示されるコンテンツの変化を制御することができる。このジェスチャーは、いくつかの利用可能なコンテンツのサムネイル表示の一つを選択すること、および、それを第３領域３０に移動させることから構成されている。第３領域３０へのその（サムネイル表示の一つの）到達が、テレビジョン・セットにテレビジョン・セット上でコンテンツを表示させること、例えば、テレビジョン・セットにアプリケーションを立ち上げること、または、テレビジョン・セット上で利用できないコンテンツの購入のためのシーケンスを開くこと、を制御するための状況的なアクション（contextual action）を引き起こす。
【００８０】
周辺装置上への視覚表現の表示をパーソナライズすることができる。より具体的には、テレビジョン・セットと周辺装置との間で交換された環境設定ファイル（configuration file）から、テレビジョン・セットへのインターフェース、および／または、サービスオペレータへのインターフェース、のメカニズムを用いることによりパーソナライズすることができる。
【００８１】
データベース１１の管理は、表示の流れを改善するためにいくつかのコンテンツを周辺装置のメモリに局所的に保存することを目的とする。これらのコンテンツは、近い将来において多分見られるだろうコンテンツのみならず、見られているコンテンツに応じて状況的にバッファされる（contextually buffered）（キャッシュ）。
【００８２】
コントローラ１２は、データベースに保存されたデータを再生すること、および周辺装置の画面における前述の領域の一つでそれらの表示を制御すること、を目的とする。
【００８３】
リクエスタ１３は、周辺装置にコンテンツを表示することが要求されたデータを再生させるためにテレビジョン・セットへ要求を送出することを目的とする。このようにして再生された情報は、データベース１１に保存される。
【００８４】
データの同期化
テレビジョン・セットは、ビデオコンテンツを解読および再生する再生機を有して接続されている周辺装置へ、ビデオストリームを標準形式に従って送信する。代わりの解決策によれば、周辺装置はストリームを受信し解読するための独立した総合的な手段を有しており、これはテレビジョン・セットによってプッシュ配信されたメタデータ・タイプの情報によって制御される。そのようなメタデータは、テレビジョン・セットに表示されるストリームの反映を作り出すために、周辺装置の画面に表示されるストリームの選択、および見られるシーケンスを開始すること、を制御することに用いられる。
【００８５】
周辺装置に表示される情報の円滑な流れを可能にするために、本発明はテレビジョン・セットと周辺装置との間のメタデータの同期化ステップを提供する。
【００８６】
同期化には以下の２つのタイプのメカニズムを実装する。
第１のメカニズムは、期限切れの書式（所定の有効期限を超えている記録日）において、局所的に利用できない、または局所的に利用できる、データに対するインターフェースによる要求に関する。この場合、リクエスタは、テレビジョン・セット上で利用可能なデータから供給されたローカルデータの更新を命じる。
【００８７】
図４は、そのような同期化メカニズムをこのメカニズムの種々の状態で図示している状態図を示す。同期化メカニズムは、同期化のための要求の待機状態から開始される。
【００８８】
そのような要求がコントローラのソフトウエア・コンポーネントによって送出されたとき、例えばユーザによって機能が選択されたときに、メカニズムは周辺装置のローカル・データベースにおいて利用できる情報の表示を命じて、ローカル・データベースにおける記録日およびテレビジョン・セットのデータベースにおける最新の記録日をチェックすることにより、ローカルデータの有効性を同時にテストする。
【００８９】
ローカルデータが更新されていれば、メカニズムは待機位置に戻る。
【００９０】
そうでなければ（データが更新されていなければ）、メカニズムは、テレビジョン・セットのデータベースで利用できるデータの取り込みを引き起こし、周辺装置でそれらの表示を制御する。
【００９１】
第２のメカニズムはバックグラウンドで動作する。リクエスタは定期的にデータベースのいくつかの部分の更新を命じる。
【００９２】
テレビジョン・セットのソフトウエア・アーキテクチュア
図５は、テレビジョン・セットにインストールされたソフトウエアの概略図を示す。
【００９３】
アーキテクチュアは、以下を有する。
−  物理接続およびデジタル接続のための物理層５０、
−  外部サーバからのデータのための「データ」層５１、５２、
−  コンテンツ再生および表示機能を管理するためのミドルウエア層５３、
−  ミドルウエア層にサポートされていない個別機能の実行、および三次元レンダリングエンジンの機能の実行、を可能にするソフトウエア・コンポーネント構造（「フレームワーク」）の層５４、
−  テレビジョン・セット表示部でユーザインターフェースの管理のためのインターフェース層５５、
−  周辺装置とテレビジョン・セットとの間のやり取りを管理するための外部周辺装置に専用の対話層５６。
【００９４】
対話層５６は、周辺装置とテレビジョン・セットとの間の対話でデータを同期化させて周辺装置の合致している種々のルーチンの実行を命じて、周辺装置と他の層５０〜５５、特にソフトウエア・コンポーネント構造の層５４、との間の情報の交換を制御する。
【図１】
2015534302.tif 000003
【図２】
2015534302.tif 000004
【図３】
2015534302.tif 000005
【図４】
2015534302.tif 000006
【図５】
2015534302.tif 000007
【国際調査報告】
2015534302.tif 000008
2015534302.tif 000009
2015534302.tif 000010
2015534302.tif 000011
2015534302.tif 000012
2015534302.tif 000013
2015534302.tif 000014
2015534302.tif 000015